【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
波長を有する光放射を送達するためのモード混合光ファイバであって、入力端と、出力端と、中心線と、屈折率プロファイルと、を有し、前記モード混合光ファイバは、
最内コアであって、屈折率プロファイルを有する、最内コアと、
前記最内コアの周りに配置されたクラッドと、を備え、
前記モード混合光ファイバが、前記波長において少なくとも５つのモードを有し、
前記モード混合光ファイバが、その入力端で光入力の一部をその低次モードからその高次モードに分配するように構成される、モード混合光ファイバ。
【請求項２】
前記最内コアが、前記光ファイバの前記中心線と実質的に非共線状に位置付けられている中心線を有する、請求項１に記載のモード混合光ファイバ。
【請求項３】
前記ファイバの前記中心線に対する前記最内コアの中心の横方向オフセットが、少なくとも５ミクロン、例えば少なくとも１０ミクロン、少なくとも２０ミクロン、または少なくとも３０ミクロンである、請求項２に記載のモード混合光ファイバ。
【請求項４】
前記最内コアが、実質的に円形の断面形状を有する、請求項１〜３のいずれか１項に記載のモード混合光ファイバ。
【請求項５】
前記最内コアが、実質的に非円形の断面形状、例えば、長方形状、正方形状、三角形状、五角形状、六角形状、もしくは八角形状などの多角形形状、または卵形状、楕円形状、もしくは半円形状などの丸みを帯びているが非円形の形状を有する、請求項１〜３のいずれか１項に記載のモード混合光ファイバ。
【請求項６】
前記最内コアが、１つ以上の実質的にダウンドープされた領域を含む、請求項１〜５のいずれか１項に記載のモード混合光ファイバ。
【請求項７】
前記実質的にダウンドープされた領域のうちの少なくとも１つが、前記最内コアの前記中心線の周りに対称的に配置される、請求項６に記載のモード混合光ファイバ。
【請求項８】
前記最内コアの前記中心線の周りに対称的に配置された前記実質的にダウンドープされた領域が、前記最内コアの前記中心線と実質的に共線状に配置された中心線を有する実質的にダウンドープされた領域である、請求項７に記載のモード混合光ファイバ。
【請求項９】
前記最内コアの前記中心線の周りに対称的に配置された実質的にダウンドープされた領域が、存在しない、請求項１〜５のいずれか１項に記載のモード混合光ファイバ。
【請求項１０】
前記１つ以上の実質的にダウンドープされた領域のうちの１つ以上が、前記最内コアの前記中心線の周りに非対称的に配置される、請求項６〜９のいずれか１項に記載のモード混合光ファイバ。
【請求項１１】
前記１つ以上の実質的にダウンドープされた領域の各々が、円形中実、非円形のバントの丸みを帯びた中実、多角形中実、円形のリング、非円環、及び多角形環から選択される形状を有する、請求項６〜１０のいずれか１項に記載のモード混合光ファイバ。
【請求項１２】
前記最内コアが、例えば円形リングの形状の、唯一の環形状のダウンドープされた領域を含む、請求項１〜５のいずれか１項に記載のモード混合光ファイバ。
【請求項１３】
前記最内コアが、１つ以上の実質的にアップドープされた領域を含む、請求項１〜１２のいずれか１項に記載のモード混合光ファイバ。
【請求項１４】
前記１つ以上の実質的にアップドープされた領域のうちの１つ以上が、前記最内コアの前記中心線の周りに非対称的に配置される、請求項１３に記載のモード混合光ファイバ。
【請求項１５】
前記アップドープされた領域のうちの１つが、前記最内コアの中心の周りに対称的ではあるが（例えば、環状領域として）、前記最内コアの周囲に向かって実質的に配置されている（例えば、前記アップドープされた領域の面積の少なくとも１／２、２／３、またはさらには３／４が、前記最内コアの前記中心線から離れた前記最内コアの半径の少なくとも半分に配置されている）、請求項１３に記載のモード混合光ファイバ。
【請求項１６】
前記１つ以上の実質的にアップドープされた領域の各々が、円形中実、非円形のバントの丸みを帯びた中実、多角形中実、円形リング、非円環、及び多角形環から選択される形状を有する、請求項１３〜１５のいずれか１項に記載のモード混合光ファイバ。
【請求項１７】
前記モード混合光ファイバの前記断面プロファイルが、円形対称ではない、請求項１〜１６のいずれか１項に記載のモード混合光ファイバ。
【請求項１８】
前記モード混合光ファイバの前記断面プロファイルが、その長さに沿って螺旋のように形成される、請求項１７に記載のモード混合光ファイバ。
【請求項１９】
光学システムであって、
請求項１〜１８のいずれか１項に記載のモード混合光ファイバと、
前記モード混合光ファイバの前記入力端に直接光学的に結合された出力端を有する第１の光ファイバであって、前記波長を有する光放射を伝播するように構成される、第１の光ファイバと、を備える、光学システム。
【請求項２０】
前記第１の光ファイバが、前記波長においてシングルモードである、請求項１９に記載の光学システム。
【請求項２１】
前記第１の光ファイバが、前記波長においてマルチモードである、請求項１９に記載の光学システム。
【請求項２２】
前記第１の光ファイバの前記出力端が、前記モード混合光ファイバの前記入力端に融着接続される、請求項１９〜２１のいずれか１項に記載の光学システム。
【請求項２３】
前記第１の光ファイバが、ファイバレーザまたはファイバ増幅器のアクティブ光ファイバである、請求項１９〜２２のいずれか１項に記載の光学システム。
【請求項２４】
前記システムが、前記モード混合光ファイバの前記第２の端部から自由空間伝播ビームを発射するように構成される、請求項１９〜２３のいずれか１項に記載の光学システム。
【請求項２５】
第２の光ファイバをさらに備え、前記第２の光ファイバが、前記波長においてマルチモードであり、前記第２の光ファイバが、入力端と、出力端と、を有し、前記第２の光ファイバの前記入力端が、前記モード混合光ファイバの前記出力端に直接光学的に結合される、請求項１９〜２４のいずれか１項に記載の光学システム。
【請求項２６】
前記モード混合光ファイバの前記出力端が、前記第２の光ファイバの前記入力端に融着接続される、請求項２５に記載の光学システム。
【請求項２７】
前記第２の光ファイバが、前記モード混合光ファイバと実質的に同じ直径を有する、請求項２５または請求項２６に記載の光学システム。
【請求項２８】
前記システムが、前記第２の光ファイバの前記第２の端部から自由空間伝播ビームを発射するように構成される、請求項２５〜２７のいずれか１項に記載の光学システム。
【請求項２９】
前記第１の光ファイバが、前記モード混合光ファイバと実質的に同じ直径を有する、請求項１９〜２８のいずれか１項に記載の光学システム。
【請求項３０】
光学システムであって、
請求項１〜１８のいずれか１項に記載のモード混合光ファイバと、
前記第１のモード混合光ファイバの前記入力端に光学的に結合された光源（例えば、固体レーザ）と、を備える、光学システム。
【請求項３１】
前記光源が、自由空間光学系を介して前記モード混合光ファイバの前記入力端に光学的に結合される、請求項３０に記載の光学システム。
【請求項３２】
自由空間伝播光ビームを提供するための方法であって、
請求項１９〜３１のいずれか１項に記載の光学システムを提供することと、
前記モード混合光ファイバに、前記波長の放射を伝播させることと、
前記自由空間伝播光ビームを、前記モード混合光ファイバの前記出力端から伝播させることと、を含む、方法。